(57)【要約】【課題】ＩＣカードの動作状況をＩＣカードの外観から認識可能なＩＣカードを提供する。【解決手段】リーダライタから回路電圧が供給される接続端子と、前記回路電圧を駆動電圧とする半導体集積回路と、前記接続端子に供給されている前記回路電圧から交流電圧またはスイッチング電圧を生成するコンバータと、前記コンバータの出力電圧により励起されて可視光を発光する単一または複数の無機エレクトロルミネッセンス素子と、前記コンバータと前記無機エレクトロルミネッセンス素子との間または前記コンバータと前記接続端子との間に設けられたスイッチ回路と、を有し、前記半導体集積回路は、前記スイッチ回路をオンまたはオフにする制御信号を生成する。【選択図】図５
2008282421.tif 000002
【特許請求の範囲】
【請求項１】
リーダライタから回路電圧が供給される接続端子と、
前記回路電圧を駆動電圧とする半導体集積回路と、
前記接続端子に供給されている前記回路電圧から交流電圧またはスイッチング電圧を生成するコンバータと、
前記コンバータの出力電圧により励起されて可視光を発光する単一または複数の無機エレクトロルミネッセンス素子と、
前記コンバータと前記無機エレクトロルミネッセンス素子との間または前記コンバータと前記接続端子との間に設けられたスイッチ回路と
を有し、
前記半導体集積回路は、前記スイッチ回路をオンまたはオフにする制御信号を生成する
ＩＣカード。
【請求項２】
前記ＩＣカードは、前記リーダライタとの通信情報または前記ＩＣカード内のメモリに記憶されている記憶情報をセグメント表示する表示素子を有し、
各セグメントを前記無機エレクトロルミネッセンス素子により構成した
請求項１記載のＩＣカード。
【請求項３】
前記ＩＣカードは、前記リーダライタとの通信情報または前記ＩＣカード内のメモリに記憶されている記憶情報をドット表示する表示素子を有し、
各ドットを前記無機エレクトロルミネッセンス素子により構成した
請求項１記載のＩＣカード。
【請求項４】
前記ＩＣカードは、前記リーダライタとの通信情報または前記ＩＣカード内のメモリに記憶されている記憶情報をマトリクス表示する表示素子を有し、
前記表示素子を前記無機エレクトロルミネッセンス素子により構成した
請求項１記載のＩＣカード。
【請求項５】
前記無機エレクトロルミネッセンス素子は、
プラスチック基板と、
前記プラスチック基板上に形成された透明電極と、
背面電極と、
前記背面電極と前記透明電極との間に形成された絶縁層および誘電層と
を有しており、
前記可視光を発光する前記誘電層は、前記絶縁層を介して前記背面電極と前記透明電極とに挟まれている
請求項１〜４記載のＩＣカード。
【発明の詳細な説明】
【技術分野】
【０００１】
本発明は、リーダライタとデータを送受信するＩＣカードであって発光素子を有するＩＣカードに関する。
【背景技術】
【０００２】
ＩＣカードの動作状況、例えばリーダライタ等の外部装置からＩＣカードに電源供給されているか否か等を、外部装置（結合装置）の表示装置に表示することがある。
例えば、外部装置に発光ダイオード（ＬＥＤ）、液晶（ＬＣＤ）等の表示装置を設け、外部装置がＩＣカードの動作状況、例えばＩＣカードと通信中であることを判断し、表示装置にＩＣカードの動作状況を表示する。
表示方法としては、例えば、ＩＣカードの動作状況に応じてＬＥＤを点灯または点滅したり、ＩＣカードの動作状況に応じて点灯または点滅の色を緑、赤等に変化させたりする方法がある。
また、外部装置の液晶（ＬＣＤ）、陰極線管（ＣＲＴ）、プラズマディスプレイ等の表示装置に、ＩＣカードの動作状況を示す文字を表示する方法がある。
一方、光通信用のＬＥＤを有する非接触式ＩＣカードがある。これは、ＩＣカードと外部装置との間の通信を、赤外線リモコンと同様に赤外線通信により行うものである。
【発明の開示】
【発明が解決しようとする課題】
【０００３】
ＩＣカードの利用者（カード利用者）は、ＩＣカード、特に非接触式ＩＣカードの外観からＩＣカードの動作状況を知ることが困難である。このため、ＩＣカードを外部装置に近づけて外部装置側の表示装置を見る必要があった。
また、１台の外部装置が複数のＩＣカードと同時に通信可能な場合、複数のカード利用者に対して個別にＩＣカードの動作状況を知らせるときは、表示装置は識別番号（ＩＤ番号）に応じたＩＣカードの動作状況を表示する。このとき、カード利用者は表示情報の中から自分の識別番号を識別する必要があり、不便であった。
【０００４】
ＬＥＤを用いた赤外線通信方式のＩＣカードの場合、ＬＥＤを搭載する目的が、カードと外部装置との赤外線による通信にあり、カード利用者に対するＩＣカードの動作状況の表示ではない。また、赤外線は可視光線ではない。このため、ＬＥＤが小型であって点灯と消灯との区別が難しい。
また、ＩＣカードの消費電力を小さくするため、データ通信時にはＬＥＤを点灯し、非通信時にはＬＥＤを消灯する。このため、データ通信以外の処理をしているときには、ＬＥＤは消灯状態にあり、ＩＣカードの動作状況を知ることが困難である。
本発明の目的は、ＩＣカードの動作状況をＩＣカードの外観から認識可能なＩＣカードを提供することにある。
【課題を解決するための手段】
【０００５】
本発明のＩＣカードは、リーダライタから回路電圧が供給される接続端子と、前記回路電圧を駆動電圧とする半導体集積回路と、前記接続端子に供給されている前記回路電圧から交流電圧またはスイッチング電圧を生成するコンバータと、前記コンバータの出力電圧により励起されて可視光を発光する単一または複数の無機エレクトロルミネッセンス素子と、前記コンバータと前記無機エレクトロルミネッセンス素子との間または前記コンバータと前記接続端子との間に設けられたスイッチ回路とを有し、前記半導体集積回路は、前記スイッチ回路をオンまたはオフにする制御信号を生成する。
【０００６】
無機エレクトロルミネッセンス素子は、小型化および薄型化が可能であり、液晶を用いる液晶表示素子に比べ柔軟性を持たせることが可能である。また、面発光を行い、正面方向に加えて斜め方向からも発光を見ることができる。
ＩＣカードは、薄型であり、たわむことが多く、カード利用者はＩＣカードを斜め方向から見ることが多い。
このため、無機エレクトロルミネッセンス素子はＩＣカードに適しており、無機エレクトロルミネッセンス素子をＩＣカードに容易に実装することができ、カード利用者は無機エレクトロルミネッセンス素子の発光を容易に認識することができる。
【発明の効果】
【０００７】
本発明のＩＣカードでは、無機ＥＬ素子は面発光するので、ＩＣカードにおいて広範囲に発光させることができ、無機ＥＬ素子によって各種情報の表示をカード利用者に見易くすることができる。
【０００８】
本発明のＩＣカードは、リーダライタから回路電圧が供給される接続端子の端子電圧を入力するコンバータの出力により励起されて無機ＥＬ素子は発光するので、無機ＥＬ素子によりＩＣカードの動作を表示することができ、カード利用者はＩＣカードの動作をＩＣカードの外観から知ることができる。カード利用者は、リーダライタから受電中であることを無機ＥＬ素子の発光から知ることができる。
【発明を実施するための最良の形態】
【０００９】
以下、本発明の実施の形態を添付図面を参照して説明する。
先ず、エレクトロルミネッセンス（ＥＬ：Electro-luminescence）について述べる。
【００１０】
近年、多くの有機電子材料が開発されているが、その中に、電界発光表示材料がある。
これは、蛍光物質に電界を加えたときに発光する、すなわち電界発光（ＥＬ）をする材料であり、この現象を利用した発光型の表示デバイスのことをエレクトロルミネッセンス素子と呼ぶ。
【００１１】
ＥＬを大別すると、真性ＥＬと電荷注入型ＥＬの２つがある。
先ず、真性ＥＬ（無機ＥＬ）について述べる。
真性ＥＬは、蛍光体を誘電体中に分散させた誘電層の薄膜を電極で挟み、交流電圧を印加して交番電界を加えることにより発光する。
蛍光体として硫化亜鉛（ＺｎＳ）を用いたものが一般的であり、無機化合物を発光物質とすることから無機ＥＬとも呼ばれる。
【００１２】
図１（Ａ）は、無機エレクトロルミネッセンス素子（無機ＥＬ素子）の一例を説明する説明図である。
この無機ＥＬ素子は、プラスチック基板１と、プラスチック基板１上に積層された透明電極２と、誘電層４と、この誘電層４を包む絶縁層３と、背面電極５とを備えてなり、透明電極２および背面電極５には交流電源９が接続されている。
透明電極２と背面電極５により、絶縁層３を介して誘電層４を挟み、交流電源９からの交流電圧を誘電層４に印加するようになっている。交流電圧に代えてオン／オフを繰り返すスイッチング電圧を印加してもよい。
プラスチック基板１は、ポリエチレンテレフタレート（ＰＥＴ）で構成してもよく、背面電極５は、ＩＴＯ電極などの透明電極で構成してもよい。
【００１３】
無機ＥＬ素子に交流電圧またはスイッチング電圧を加えると、誘電層（ＥＬ薄膜）４と絶縁層３との界面に高電圧が生じ、加速された電子が誘電層４を高速で通過し、蛍光体（すなわち誘電層４中の不純物イオン）が発光する。
不純物イオンの種類に応じて、赤、緑、青など発光色が異なる。
誘電層４が発光層となり、誘電層４から発光された可視光はプラスチック基板１を透過するようになっており、前記可視光をプラスチック基板１を通して見ることができる。無機ＥＬ素子は、一例として０．１７ｍｍ程度の厚さで構成可能であり、１ｍＡ未満の消費電流とすることが可能である。
【００１４】
無機ＥＬ素子は、次の（ア）〜（カ）の利点がある。
（ア）自ら発光する。
（イ）固体で長寿命である。
（ウ）斜め方向からも発光が見える。
（エ）高速応答するので残像が無い。
（オ）コントラストが高く見やすい。
（カ）体積が小さく小型である。
一方、無機ＥＬ素子の駆動回路（ドライバ）は、一例として１００Ｖ〜３００Ｖ程度の交流電圧を生成する必要がある。
【００１５】
なお、無機ＥＬ素子の誘電層は透明であることから、赤、緑および青の三原色のＥＬ薄膜を重ね合わせることにより、多色の無機ＥＬ素子を構成することが可能であり、この無機ＥＬ素子への電源供給を制御してフルカラーのディスプレイを実現することができる。
図１（Ｂ）は、赤、緑および青の三原色のＥＬ薄膜を重ね合わせた無機ＥＬ素子の一例を説明する説明図である。
この無機ＥＬ素子は、プラスチック基板１１と、絶縁層２１，３１と、透明電極１２，２２，３２と、絶縁層１３，２３，３３と、発光する誘電層１４，２４，３４と、透明電極１５，２５，３５とを有する。プラスチック基板１１上に透明電極１２が積層されている。
絶縁層１３に包まれた誘電層１４は、青色の発色層を形成する。
絶縁層２３に包まれた誘電層２４は、緑色の発色層を形成する。
絶縁層３３に包まれた誘電層３４は、赤色の発色層を形成する。
透明電極１２，１５により絶縁層１３を介して誘電層１４を挟み、不図示の交流電源からの交流電圧を誘電層１４に印加するようになっている。
透明電極２２，２５により絶縁層２３を介して誘電層２４を挟み、不図示の交流電源からの交流電圧を誘電層２４に印加するようになっている。
透明電極３２，３５により絶縁層３３を介して誘電層３４を挟み、不図示の交流電源からの交流電圧を誘電層３４に印加するようになっている。
透明電極１２，２２，３２および透明電極１５，２５，３５に供給する電圧を組み合せて無機ＥＬ素子への電源供給を変化させることで、種々の色を生成してプラスチック基板１１を通して見ることができる。
【００１６】
次に、電荷注入型ＥＬ（有機ＥＬ）について述べる。
電荷注入型ＥＬは、半導体薄膜に直流電圧を印加し、正孔（ホール）と電子を半導体薄膜の両側の電極から注入して発光させる構成であり、発光ダイオード（ＬＥＤ）と類似の機構で発光する。半導体薄膜として、アントラセンなどの有機物単結晶が研究されてきたが、近年、有機薄膜を用いた高輝度の発光素子が見出されている。このように有機薄膜を用いたＥＬは有機ＥＬと呼ばれる。
有機ＥＬについても、上記（ア）〜（カ）の利点がある。
図２は、有機エレクトロルミネッセンス素子（有機ＥＬ素子）の一例を説明する説明図である。
この有機ＥＬ素子は、プラスチック基板５１と、プラスチック基板５１上に積層された透明電極５２と、透明電極５２上に積層された正孔輸送層５３と、正孔輸送層５３上に形成された発光層５４と、発光層５４上に積層された電子輸送層５５と、電子輸送層５５上に積層された背面電極５６とを有する。
透明電極５２には直流電源５９の陽極（正極）が接続されており、背面電極５６には直流電源５９の陰極（負極）が接続されている。
プラスチック基板５１上にＩＴＯ電極などの透明電極５２を形成し、正孔の流れ易い正孔輸送層５３および電子の流れ易い電子輸送層５５を順次形成し、ＭｇＡｇ合金などの背面電極５６を形成する。
正孔輸送層（正孔注入輸送層）５３は、正孔注入を陽極から受けて輸送し、電子輸送層（電子注入輸送層）５３は、電子注入を陰極から受けて輸送する。
透明電極５２に陽極を接続し、背面電極５６に陰極を接続して直流電圧を供給すると、透明電極５２から正孔輸送層５３に流れ込む正孔と、背面電極５６から電子輸送層５５に流れ込む電子とが、正孔輸送層５３と電子輸送層５５の間にある発光層５４で再結合して発光する。
プラスチック基板５１は発光層５４から発光された可視光を透過するようになっており、前記可視光をプラスチック基板５１を通して見ることができる。
【００１７】
有機ＥＬ素子は、直流電圧による駆動が可能であること、および１０Ｖ以下の低電圧で動作可能である。
非接触式ＩＣカードに搭載するＥＬ素子としては、外部装置から電力を受電する都合上、低い駆動電圧で動作する有機ＥＬ素子のほうが望ましいが、無機ＥＬ素子もコンバータ等を用いることで搭載することは可能である。
図１および図２において、ポリエチレン・テレフタレート（ＰＥＴ）などの透明なプラスチック基板を用いているが、プラスチック基板に代えてガラス基板とすることも可能であり、薄いＩＣカードに搭載する場合は曲げに強いことや柔軟であることなどからプラスチックの方が好ましい。なお、ガラス基板であっても、そのサイズや実装方法などの工夫によりＩＣカードに搭載することは可能である。有機ＥＬ素子は、一例として２．３ｍＡ／ｃｍ2 程度の消費電流とすることが可能である。
有機ＥＬにおいても、図３（Ａ）〜（Ｃ）に示すような構成とすることで、多色化することが可能である。
【００１８】
図３（Ａ）の多色の有機ＥＬ素子では、赤、緑、青の発光を行う有機ＥＬ素子を配列して結合した構成である。
図３（Ａ）の多色の有機ＥＬ素子では、プラスチック基板６１と、プラスチック基板６１上に積層された透明基板６２と、透明基板６２上に形成された正孔輸送層６３Ｒ，６３Ｇ，６３Ｂと、発光層６４Ｒ，６４Ｇ，６４Ｂと、電子輸送層６５Ｒ，６５Ｇ，６５Ｂと、背面電極６６Ｒ，６６Ｇ，６６Ｂとを有する。
正孔輸送層６３Ｒと電子輸送層６５Ｒの間には赤（Ｒ）色を発光する発光層６４Ｒが形成されており、電子輸送層６５Ｒには背面電極６６Ｒが重なって形成されている。
正孔輸送層６３Ｇと電子輸送層６５Ｇの間には緑（Ｇ）色を発光する発光層６４Ｇが形成されており、電子輸送層６５Ｇには背面電極６６Ｇが重なって形成されている。
正孔輸送層６３Ｂと電子輸送層６５Ｂの間には青（Ｂ）色を発光する発光層６４Ｂが形成されており、電子輸送層６５Ｂには背面電極６６Ｂが重なって形成されている。
発光層６４Ｒ，６４Ｇ，６４Ｂからの発光は、プラスチック基板６１を通して見ることができ、背面電極６６Ｒ，６６Ｇ，６６Ｂに供給する駆動電圧の組み合せにより三原色を用いて種々の色を生成することができる。
【００１９】
図３（Ｂ）の多色の有機ＥＬ素子では、白色を発光する発光層と、赤、緑、青の各カラーフィルタとを組み合わせて結合した構成である。
図３（Ｂ）の多色の有機ＥＬ素子は、プラスチック基板７１と、プラスチック基板７１上に形成されたカラーフィルタ７７Ｒ，７７Ｇ，７７Ｂと、カラーフィルタ７７Ｒ，７７Ｇ，７７Ｂ上にそれぞれ形成された透明電極７２Ｒ，７２Ｇ，７２Ｂと、透明電極７２Ｒ，７２Ｇ，７２Ｂ上に形成された正孔輸送層７３と、白色を発光する発光層７４と、電子輸送層７５と、背面電極７６Ｒ，７６Ｇ，７６Ｂとを有する。
透明電極７２Ｒとプラスチック基板７１との間には、赤のカラーフィルタ７７Ｒが位置している。
透明電極７２Ｇとプラスチック基板７１との間には、緑のカラーフィルタ７７Ｇが位置している。
透明電極７２Ｂとプラスチック基板７１との間には、青のカラーフィルタ７７Ｂが位置している。
透明電極７２Ｒと背面電極７６Ｒとの間と、透明電極７２Ｇと背面電極７６Ｇとの間と、透明電極７２Ｂと背面電極７６Ｂとの間とには、正孔輸送層７３と発光層７４と電子輸送層７５とが形成されている。
発光層７４からの発光は、プラスチック基板７１を通して見ることができ、透明電極７２Ｒ，７２Ｇ，７２Ｂと背面電極７６Ｒ，７６Ｇ，７６Ｂとに供給する駆動電圧を組み合わせて有機ＥＬ素子への電源供給を変化させることで三原色を用いて種々の色を生成することができる。
【００２０】
図３（Ｃ）の多色の有機ＥＬ素子では、青色を発光する発光層と、赤、緑、青の色変換層とを組み合わせて結合した構成である。
図３（Ｃ）の多色の有機ＥＬ素子は、プラスチック基板８１と、プラスチック基板８１上に形成された色変換層８７Ｒ，８７Ｇ，８７Ｂと、色変換層８７Ｒ，８７Ｇ，８７Ｂ上にそれぞれ形成された透明電極８２Ｒ，８２Ｇ，８２Ｂと、透明電極８２Ｒ，８２Ｇ，８２Ｂ上に形成された正孔輸送層８３と、青色を発光する発光層８４と、電子輸送層８５と、背面電極８６Ｒ，８６Ｇ，８６Ｂとを有する。
透明電極８２Ｒとプラスチック基板８１との間には、赤の色変換層８７Ｒが位置している。
透明電極８２Ｇとプラスチック基板８１との間には、緑の色変換層８７Ｇが位置している。
透明電極８２Ｂとプラスチック基板８１との間には、青の色変換層８７Ｂが位置している。
透明電極８２Ｒと背面電極８６Ｒとの間と、透明電極８２Ｇと背面電極８６Ｇとの間と、透明電極８２Ｂと背面電極８６Ｂとの間とには、正孔輸送層８３と発光層８４と電子輸送層８５とが形成されている。
発光層８４からの発光は、プラスチック基板８１を通して見ることができ、透明電極８２Ｒ，８２Ｇ，８２Ｂと背面電極８６Ｒ，８６Ｇ，８６Ｂとに供給する駆動電圧の組み合せにより三原色を用いて種々の色を生成することができる。
【００２１】
以下、無機ＥＬ素子を有するＩＣカードの例について説明する。
ＩＣカード内のコイル（アンテナコイル）は、磁気結合または電磁誘導などにより外部装置からの送信電力を受電する。
コイルの両端に生じた交流の電気信号は、整流回路に入力されて直流の電気信号に変換される。この整流回路の出力端子には、平滑用のキャパシタを接続してもよい。整流回路は一例としてダイオードを用いたブリッジ回路で構成する。
整流回路の出力は、定電圧回路（レギュレータ）に入力され、ＩＣカード内のＩＣ（半導体集積回路）を駆動するＩＣ駆動用の安定化された直流電圧（駆動電圧）が生成される。定電圧回路の出力端子には、平滑用のキャパシタを接続してもよい。
【００２２】
無機ＥＬ素子を駆動する方法の例としては、次の（ａ）〜（ｃ）がある。
（ａ）コイルの出力を用いる。
図４（Ａ）は、本発明に係るＩＣカードの一例を示す概略ブロック図であり、上記（ａ）に関連する。
このＩＣカード２００は、半導体集積回路（ＩＣ）１４０と、不図示のリーダライタからの磁気信号を電気信号に変換する第１および第２のコイル１１１，１１２と、前記第１のコイル１１０の出力電圧を整流する整流回路１２０と、前記整流回路１２０の出力電圧から前記半導体集積回路１４０の駆動電圧を生成する定電圧回路（レギュレータ）１３０と、前記第２のコイル１１２の出力電圧により励起されて可視光を発光する無機エレクトロルミネッセンス素子（無機ＥＬ素子）１５０とを有する。
また、ＩＣカード２００は、整流回路１２０の出力端子に接続された平滑用のキャパシタＣ１と、定電圧回路１３０の出力端子に接続された平滑用のキャパシタＣ２とを有する。
無機ＥＬ素子１５０は、交流電圧で駆動されることから、ＩＣカード２００のコイル端子に生じる交流電圧により無機ＥＬ素子１５０を駆動する。但し、ＩＣ１４０の動作電圧は数ボルト程度であり、無機ＥＬ素子１５０を駆動するには一例として１００〜３００Ｖ程度の交流高電圧を必要とするので、第１のコイル１１１よりも巻数が大きく、変圧比が１よりも大きい第２のコイル１１２を用いる。
なお、ＩＣカード２００では１個のコイル１１５に３つの端子を設けることで、１個の端子を共用して実質的に２個のコイル１１１，１１２として用いている。
【００２３】
このＩＣカード２００の長所は、無機ＥＬ素子１５０を駆動するための半導体集積回路を不要にできることである。このため、ＩＣカード２００では既存の半導体集積回路を使用することができ、ＩＣカード２００を低コストにすることができる。
ＩＣカード２００では、第２のコイル１１２の出力電圧が無機ＥＬ素子１５０の駆動電圧となるため、ＩＣカード２００と外部装置の通信距離、すなわちＩＣカード１２０の受電状態によって無機ＥＬ素子１５０の駆動電圧が変化する。
このため、ＩＣカード２００と外部装置との距離により無機ＥＬ素子１５０の発光輝度が変化する。
ＩＣカード２００では、無機ＥＬ素子１５０を駆動するために、高い電圧をリーダライタから受電する必要がある。このため、ＩＣカード２００の搬送波周波数（キャリア周波数）としては、百ｋＨｚ〜百数十ｋＨｚ程度の周波数が適している。これは、電波法の規制により、低い周波数のほうがリーダライタの出力を大きくすることができるからである。
無機ＥＬ素子１５０の駆動用の第２のコイル１１２については、線材を巻装したコイル（ワイヤードコイル）と、銅箔またはアルミ箔等の金属箔をエッチングしたコイル（プリントコイル）とを比較した場合、線材の径や箔の厚さに依存するが、一般的にはワイヤードコイルのほうが受電効率の高さを示すＱ値が大きいため好ましい。
【００２４】
（ｂ）変圧器の出力を用いる。
図４（Ｂ）は、本発明に係るＩＣカードの一例を示す概略ブロック図であり、上記（ｂ）に関連する。
このＩＣカード３００は、半導体集積回路（ＩＣ）１４０と、不図示のリーダライタからの磁気信号を電気信号に変換するコイル１１０と、前記コイル１１０の出力電圧を整流する整流回路１２０と、前記整流回路１２０の出力電圧から前記半導体集積回路１４０の駆動電圧を生成する定電圧回路１３０と、前記コイル１１０の出力電圧を入力して変圧する変圧器１８０と、前記変圧器１８０の出力電圧により励起されて可視光を発光する無機ＥＬ素子１５０とを有する。
また、ＩＣカード３００は、整流回路１２０の出力端子に接続された平滑用のキャパシタＣ１と、定電圧回路１３０の出力端子に接続された平滑用のキャパシタＣ２とを有する。
前述のＩＣカード２００では無機ＥＬ素子１５０を駆動する高電圧をコイル１１２から取り出すことが困難な場合に、ＩＣカード３００のような構成とすることで、コイル出力電圧から変圧器１８０を用いて高電圧を生成することが可能である。
ＩＣカード３００では、変圧器１８０の出力電圧が無機ＥＬ素子１５０の駆動電圧となるため、ＩＣカード３００と外部装置の通信距離、すなわちＩＣカード３００の受電状態によって無機ＥＬ素子１５０の駆動電圧が変化する。
このため、ＩＣカード３００と外部装置との距離により無機ＥＬ素子１５０の発光輝度が変化する。
【００２５】
（ｃ）コンバータの出力を用いる。
図５（Ａ）は、本発明に係るＩＣカードの一例を示す概略ブロック図であり、上記（ｃ）に関連する。
このＩＣカード４００では、半導体集積回路（ＩＣ）１４０と、不図示のリーダライタからの磁気信号を電気信号に変換するコイル１１０と、前記コイル１１０の出力電圧を整流する整流回路１２０と、前記整流回路１２０の出力電圧から前記半導体集積回路１４０の駆動電圧を生成する定電圧回路１３０と、前記定電圧回路１３０の出力電圧から交流電圧またはスイッチング電圧を生成するコンバータ１６０と、前記コンバータ１６０の出力電圧により励起されて可視光を発光する無機ＥＬ素子１５０とを有する。
また、ＩＣカード４００は、整流回路１２０の出力端子に接続された平滑用のキャパシタＣ１と、定電圧回路１３０の出力端子に接続された平滑用のキャパシタＣ２とを有する。コンバータ１６０は、無機ＥＬ素子１５０を駆動する駆動回路の一例である。
図５（Ａ）では、定電圧回路１３０の直流出力をコンバータ１６０に供給し、コンバータ１６０の出力により無機ＥＬ素子１５０を駆動する。
このＩＣカード４００の長所としては、無機ＥＬ素子１５０の駆動電圧を安定化することができ、上記ＩＣカード２００，３００に比べて無機ＥＬ素子１５０の発光輝度を一定にすることができる点がある。
【００２６】
無機ＥＬ素子を制御する方法の例として、次の（ｄ）と（ｅ）がある。
（ｄ）電圧検出回路を用いて制御する。
ＩＣカード２００〜４００では、ＩＣカードが受電すると、コイル１１２、変圧器１８０またはコンバータ１６０の出力によって無機ＥＬ素子１５０を駆動する。
しかし、無機ＥＬ素子１５０が発光することは、ＩＣ１４０が駆動可能であることを必ずしも意味するものではない。
無機ＥＬ素子１５０の入力電圧が無機ＥＬ素子１５０の発光可能な電圧（発光可能電圧）に達していてもＩＣ１４０の入力電圧がＩＣ１４０の動作可能な所定の電圧（所定値）に達していない場合、ＩＣ１４０が駆動できないにもかかわらず、無機ＥＬ素子１５０が発光し得る。
逆に、ＩＣ１４０の入力電圧が前記所定の電圧（所定値）に達していても無機ＥＬ素子１５０の入力電圧が前記発光可能電圧に達していない場合、ＩＣ１４０が駆動できるにもかかわらず、無機ＥＬ素子１５０が駆動されない。これらの状況は、カード利用者にとって好ましくない。
これを解決する方法について、以下に述べる。
【００２７】
ＩＣ１４０を駆動する場合、電源回路の出力電圧が前記所定値に達していることを検出して検出信号を生成する電圧検出回路を設け、電源回路の出力電圧が前記所定値に達してから、ＩＣカード内の復調回路、送信回路、中央処理装置（ＣＰＵ）、メモリなどに電源供給して動作可能となるよう制御する。ＩＣカード２００〜４００では、電圧検出回路をＩＣ１４０に含めてもよい。
そして、ＩＣカード２００〜４００において、無機ＥＬ素子１５０と第２のコイル１１２との間、無機ＥＬ素子１５０と変圧器１８０との間、無機ＥＬ素子１５０とコンバータ１６０または定電圧回路１３０とコンバータ１６０との間に半導体スイッチ等のスイッチ回路を設け、電圧検出回路が出力する検出信号を制御信号としてＩＣ１４０の駆動電圧が前記所定値に達しているときにスイッチ回路をオン（ＯＮ）とし、所定値に達していないときはスイッチ回路をオフ（ＯＦＦ）とする。
ここで、図５（Ｂ）は、本発明に係るＩＣカードの一例を示す概略ブロック図であり、上記（ｄ）に関連する。
このＩＣカード５００は、定電圧回路１３０の出力電圧が、ＩＣ１４０が動作可能な所定の電圧に達していることを検出して検出信号を生成する電圧検出回路１４１と、コンバータ１６０と定電圧回路１３０との間に設けられ、前記検出信号により制御されるスイッチ回路ＳＷとを有する。また、検出信号をＩＣ１４０に供給するようになっている。他の構成はＩＣカード４００と同様であり、当該他の構成の説明を省略する。
このように、スイッチ回路ＳＷをオン／オフ制御することにより、ＩＣ１４０が駆動可能である場合に無機ＥＬ素子１５０を発光させる構成とすることができ、カード利用者は、ＩＣ１４０が駆動しているか否かを無機ＥＬ素子１５０の発光の有無から知ることが可能である。
【００２８】
また、図５（Ｂ）では、電圧検出回路１４１の出力信号をスイッチ回路ＳＷひいては無機ＥＬ素子１５０のオン／オフ制御信号としたが、無機ＥＬ素子１５０の別のオン／オフ制御回路を設けて別の信号により無機ＥＬ素子１５０をオン／オフしてもよい。
例えば、ＩＣカード内のメモリに格納された識別データ（固有番号やパスワードなど）を外部装置との通信によりデータ照合するシステムでは、照合結果が一致を示す場合に無機ＥＬ素子を発光させることにより、カード利用者は、無機ＥＬ素子の発光から、ひいてはＩＣカードの外観から、照合結果が一致したことを知ることができる。
さらには、外部装置側の表示装置の表示または音響装置の音響を用いてカード利用者に知らせるようにしてもよい。
この場合、ＩＣカード５００において、識別データを予め記憶するメモリを設け、電圧検出回路１４１に代えて照合回路を接続した構成とし、照合回路とＩＣ１４０との間でも信号を送受可能な構成としてもよい。
前記メモリは、前記ＩＣ１４０内に設けてもよく、前記照合回路内に設けてもよく、前記照合回路は前記ＩＣ１４０内に設けてもよい。
前記照合回路は、前記メモリに記憶されている識別データと前記リーダライタから送出された識別データとを照合して照合結果に応じた照合信号を生成し、照合信号を前記スイッチ回路ＳＷの制御信号とする。
なお、第２のコイル１１２の出力電圧に応じて無機ＥＬ素子１５０を発光させる場合は、第２のコイル１１２と無機ＥＬ素子１５０との間にスイッチ回路ＳＷを設け、このスイッチ回路ＳＷの制御信号を前記照合信号としてもよい。
また、変圧器１８０の出力電圧に応じて無機ＥＬ素子１５０を発光させる場合は、変圧器１８０と無機ＥＬ素子１５０との間にスイッチ回路ＳＷを設け、このスイッチ回路ＳＷの制御信号を前記照合信号としてもよい。
また、変圧器１８０の出力電圧に応じて無機ＥＬ素子１５０を発光させる場合は、変圧器１８０と無機ＥＬ素子１５０との間にスイッチ回路ＳＷを設け、このスイッチ回路ＳＷの制御信号を前記照合信号としてもよい。
コンバータ１６０と無機ＥＬ素子１５０との間にスイッチ回路ＳＷを設け、このスイッチ回路ＳＷの制御信号を前記照合信号としてもよいが、消費電力を減らすためにコンバータ１６０と定電圧回路１３０との間にスイッチ回路を設けるのが好ましい。
【００２９】
一方、１台の外部装置で複数のＩＣカードと同時に通信可能なシステムでは、ＩＣカード内には通信衝突を防止する衝突防止（アンチコリジョン）回路を設け、このアンチコリジョン処理により特定のＩＣカードのみがデータ通信可能となるよう制御する。
そして、このアンチコリジョン処理の結果、ＩＣカードが選択されたとき、無機ＥＬ素子を発光させ、ＩＣカードが選択されていないとき消灯させることにより、カード利用者は、どのＩＣカードが選択されているか、または自分のＩＣカードが選択されているか否かを無機ＥＬ素子の点灯／消灯によって知ることができる。
この場合、ＩＣカード５００において、電圧検出回路１４１に代えて衝突防止回路を接続した構成とし、衝突防止回路とＩＣ１４０との間でも信号を送受可能な構成としてもよい。
前記衝突防止回路は、自ＩＣカードが前記リーダライタにより選択されていることを検出して選択検出信号を生成すると共に、前記自ＩＣカードを前記リーダライタと通信可能とし、選択されていない他ＩＣカードとの衝突を防止する。前記スイッチ回路ＳＷの制御信号を前記選択検出信号とする。
前記衝突防止回路は、前記ＩＣ１４０内に設けてもよい。
なお、第２のコイル１１２の出力電圧に応じて無機ＥＬ素子１５０を発光させる場合は、第２のコイル１１２と無機ＥＬ素子１５０との間にスイッチ回路ＳＷを設け、このスイッチ回路ＳＷの制御信号を前記選択検出信号としてもよい。
また、変圧器１８０の出力電圧に応じて無機ＥＬ素子１５０を発光させる場合は、変圧器１８０と無機ＥＬ素子１５０との間にスイッチ回路ＳＷを設け、このスイッチ回路ＳＷの制御信号を前記選択検出信号としてもよい。
コンバータ１６０と無機ＥＬ素子１５０との間にスイッチ回路ＳＷを設け、このスイッチ回路ＳＷの制御信号を前記選択検出信号としてもよいが、消費電力を減らすためコンバータ１６０と定電圧回路１３０との間にスイッチ回路ＳＷを設けるのが好ましい。
【００３０】
また、本発明に係るＩＣカードでは、無機ＥＬ素子１５０をオン／オフ制御して点灯／消灯を制御しているが、無機ＥＬ素子１５０の消費電力を低減するため、点灯を連続するのではなく、点滅させてもよい。
図８（Ａ）は、無機ＥＬ素子を点灯させる場合と点滅させる場合における、無機ＥＬ素子に供給する電圧の波形図である。
このとき、ＩＣカード内にクロック信号生成回路を設けて例えば１００ｍｓ毎に周期的にクロック信号をオン／オフさせて前記スイッチ回路をオン／オフすることにより、無機ＥＬ素子を点滅させることができる。これにより、無機ＥＬ素子の消費電力を低下させることができ、ＩＣカードと外部装置の通信距離を大きくすることが可能である。
例えば、前記電圧検出回路、前記衝突防止回路または前記照合回路の出力信号をクロック信号で変調して前記スイッチ回路の制御信号としてもよい。
前記クロック信号は、コイル１１０，１１１，１１２または１１５からの交流電圧から直接生成してもよい。図８（Ｂ）は、クロック信号生成回路の一例を説明する説明図である。
不図示のリーダライタから出力される磁気信号の周波数は、クロック信号の周波数の自然数倍とする。コイル１１０は、前記磁気信号を電気信号に変換して交流電圧を生成する。
クロック信号生成回路１７０は、コイル１１０の出力電圧から磁気信号の周波数の信号を抽出する抽出回路１７１と、前記抽出回路１７１の出力信号を分周する分周回路１７２とを有する。
コイル１１０の出力電圧からクロック信号を生成することで、クロック信号生成回路が簡単な構成となり、抽出回路１７１の出力信号をクロック信号としてもよく、または分周回路により適当な周波数のクロック信号を生成してもよく、このクロック信号を用いて無機ＥＬ素子を点滅させることができる。
さらに、クロック信号または無機ＥＬ素子の点滅のデューティファクタ（オンとオフの比率）は、１／２（オン時間：オフ時間＝１：１）としてもよく、１／８（オン時間：オフ時間＝１：８）のようにオン時間の比率を下げることにより、無機ＥＬ素子の消費電力を低減してもよい。
【００３１】
（ｅ）無機ＥＬ素子のオンとオフとを別々に制御する。
上記（ｄ）では電圧検出回路１４１、照合回路または衝突防止回路の出力信号を無機ＥＬ素子１５０のオン／オフ制御に用いたが、一つの出力信号によって無機ＥＬ素子１５０のオン／オフを制御する必要はなく、オンとオフを別々の出力信号によって制御してもよい。
図６（Ａ）は本発明に係るＩＣカードの一例を示す概略ブロック図であり、この図６（Ａ）に示すように、ラッチ回路の一例であるＲＳフリップフロップ（ＲＳ−ＦＦ）回路を用い、衝突防止回路１４３の出力によりオンに制御し、照合回路１４２の出力によりオフに制御する構成としてもよい。
このＩＣカード６００は、ＩＣカード５００において電圧検出回路１４１に代えて衝突防止回路１４３および照合回路１４２を接続し、衝突防止回路１４３および照合回路１４２の出力信号を前記ＲＳ−ＦＦ回路１４４に供給する構成とし、前記ＲＳ−ＦＦ回路１４４の出力信号をスイッチ回路ＳＷの制御信号とし、ＩＣ１４０と衝突防止回路１４３と照合回路１４２とは信号を送受可能な構成である。
ＲＳ−ＦＦ回路１４４は、前記衝突防止回路１４３が出力する選択検出信号により第１の状態に変化し、前記照合回路１４２が出力する照合信号により第２の状態に変化し、ＲＳ−ＦＦ回路１４４はその状態に応じた出力信号を生成する。他の構成はＩＣカード５００と同様であり、当該他の構成の説明を省略する。
この場合、ＩＣカード６００は、衝突防止回路１４３により自ＩＣカード６００が選択されたときにスイッチ回路ＳＷをオンして無機ＥＬ素子１５０を発光させ、その後、ＩＣカード６００内でデータ照合を行って識別データが一致したときにスイッチ回路ＳＷをオフさせて無機ＥＬ素子１５０を消灯させることが可能である。
カード利用者は、無機ＥＬ素子１５０の点灯によってＩＣカード６００が選択状態にあることを知ることができ、無機ＥＬ素子１５０の消灯によってデータ照合の結果が一致であることを知ることができる。
【００３２】
一方、データ照合の結果が一致の場合にカード処理を終了するシステムでは、カード利用者は、外部装置にＩＣカード６００をかざしていた動作を、この無機ＥＬ素子１５０の消灯により、外してもよいと判断することができる。
このことは、１台の外部装置が複数のＩＣカードと通信可能なシステムで望ましい。なぜなら、従来のシステムで１台の外部装置に複数のＩＣカードがかざされていた場合、外部装置側の表示装置では、ＩＣカードを特定するためには、ＩＣカードの固有番号または識別データなどを表示するしかなく、カード利用者は、この固有番号等を表示画面で見ることにより、ＩＣカードの動作状況を知ることができるが、手間がかかる。
しかしながら、前記ＩＣカード６００では、無機ＥＬ素子１５０の表示状態により、ＩＣカード６００の動作状況を簡単に知ることができる。
ＩＣカード６００では、オンとオフとを別々に制御する構成を例示したが、運用するシステムに応じて、オンおよびオフを制御する出力信号を自由に組み合わせることが可能である。
第２のコイル１１２の出力電圧に応じて無機ＥＬ素子１５０を発光させる場合は、第２のコイル１１２と無機ＥＬ素子１５０との間にスイッチ回路ＳＷを設け、スイッチ回路ＳＷの制御信号を前記ＲＳ−ＦＦ回路１４４の出力信号としてもよい。
変圧器１８０の出力電圧に応じて無機ＥＬ素子１５０を発光させる場合は、変圧器１８０と無機ＥＬ素子１５０との間にスイッチ回路ＳＷを設け、このスイッチ回路ＳＷの制御信号を前記ＲＳ−ＦＦ回路１４４の出力信号としてもよい。
コンバータ１６０と無機ＥＬ素子１５０との間にスイッチ回路ＳＷを設け、このスイッチ回路ＳＷの制御信号を前記ＲＳ−ＦＦ回路１４４の出力信号としてもよいが、消費電力を減らすためコンバータ１６０と定電圧回路１３０との間にスイッチ回路ＳＷを設けるのが好ましい。
【００３３】
（ｆ）複数の無機ＥＬ素子を別々に制御する。
前記ＩＣカード２００〜６００では、ＩＣカード内に１個の無機ＥＬ素子１５０を搭載する場合を説明したが、複数の無機ＥＬ素子を搭載してもよい。
図６（Ｂ）は本発明に係るＩＣカードの一例を示す概略ブロック図であり、この図６（Ｂ）に示すように、２個の無機ＥＬ素子１５１，１５２をＩＣカードに搭載し、電圧検出回路１４１の出力によりスイッチ回路ＳＷ１をオン／オフ制御して無機ＥＬ素子１５１を発光／消灯させ、照合回路１４２の出力によりスイッチ回路ＳＷ２をオン／オフ制御して無機ＥＬ素子１５２を発光／消灯させる。
ＩＣカード７００では、電圧検出回路１４１の出力によりＩＣ１４０が動作可能であるときに無機ＥＬ素子１５１を発光させ、その後、照合回路１４２で照合を行って識別データが一致したときに無機ＥＬ素子１５２を発光させる。
これにより、カード利用者は、ＩＣカード７００を外部装置に近づけたとき、ＩＣ１４０が動作可能であってＩＣカード７００が通信可能であることを無機ＥＬ素子１５１の発光から知ることができ、データ照合の結果が一致を示していることを無機ＥＬ素子１５２の発光から知ることができ、ＩＣカード７００の動作状況をより詳しく知ることができる。
ＩＣカード７００は、ＩＣカード５００において、無機ＥＬ素子とスイッチ回路とコンバータとを複数設けると共に照合回路１４２を設けた構成であり、第１のスイッチ回路ＳＷ１を電圧検出回路１４１からの検出信号により制御して無機ＥＬ素子１５１の発光を制御し、第２のスイッチ回路ＳＷ２を照合回路１４２からの照合信号により制御して無機ＥＬ素子１５２の発光を制御する構成である。
第１のスイッチ回路ＳＷ１は、コンバータ１６１と定電圧回路１３０との間に設けてあり、第２のスイッチ回路ＳＷ２は、コンバータ１６２と定電圧回路１３０との間に設けてある。照合回路１４２と電圧検出回路１４１とＩＣ１４０とは信号が送受可能なようになっている。
第２のコイル１１２の出力電圧に応じて無機ＥＬ素子１５１，１５２を発光させる場合は、第２のコイル１１２と無機ＥＬ素子１５１との間にスイッチ回路ＳＷ１を設け、第２のコイル１１２と無機ＥＬ素子１５２との間にスイッチ回路ＳＷ２を設けてもよい。
変圧器１８０の出力電圧に応じて無機ＥＬ素子１５１，１５２を発光させる場合は、変圧器１８０と無機ＥＬ素子１５１との間にスイッチ回路ＳＷ１を設け、変圧器１８０と無機ＥＬ素子１５２との間にスイッチ回路ＳＷ２を設けてもよい。
コンバータ１６１と無機ＥＬ素子１５１の間にスイッチ回路ＳＷ１を設け、コンバータ１６２と無機ＥＬ素子１５２の間にスイッチ回路ＳＷ２を設けてもよいが、消費電力を減らすためコンバータ１６１と定電圧回路１３０の間にスイッチ回路ＳＷ１を設け、コンバータ１６２と定電圧回路１３０の間にスイッチ回路ＳＷ２を設けるのが好ましい。
【００３４】
ＩＣカード７００において、無機ＥＬ素子１５１，１５２の双方を照合回路１４２から出力される照合信号により制御してもよい。
例えば、照合回路１４２でのデータ照合の結果が一致を示すときにスイッチ回路ＳＷ１をオンに制御して無機ＥＬ素子１５１を発光させ、データ照合の結果が不一致を示すときにスイッチ回路ＳＷ２をオンに制御して無機ＥＬ素子１５２を発光させる。
この場合、カード利用者は、照合回路１４２の照合結果を、どちらの無機ＥＬ素子１５１，１５２が発光したかによって知ることができ、ＩＣカード７００の動作状況をより詳しく知ることができる。
【００３５】
また、上記（ｄ）と上記（ｅ）とを組み合わせ、ＩＣカード５００とＩＣカード６００とを組み合わせた構成としてもよい。
例えば、ＩＣカード６００において、無機ＥＬ素子１５０を第２の無機ＥＬ素子１５２とし、スイッチ回路ＳＷを第２のスイッチ回路ＳＷ２とし、スイッチ回路ＳＷ２をＲＳ−ＦＦ回路１４４の出力信号により制御する。さらに、電圧検出回路１４１と第１の無機ＥＬ素子１５１とコンバータ１６１とを設けると共に、このコンバータ１６１と定電圧回路１３０との間に第１のスイッチ回路ＳＷ１とを設け、スイッチ回路ＳＷ１を電圧検出回路１４１からの検出信号により制御する。
そして、一例として、無機ＥＬ素子１５１を検出信号によりスイッチ回路ＳＷ１のオン／オフを制御して無機ＥＬ素子１５１の発光／消灯を制御する。
また、衝突防止回路１４３の衝突防止処理の結果が選択を示し、選択検出信号が生成された場合に、スイッチ回路ＳＷ２をオンに制御して無機ＥＬ素子１５２を発光させてもよい。
また、照合回路１４２のデータ照合の結果が一致を示し、この一致を示す照合信号が生成された場合に、スイッチ回路ＳＷ２をオフに制御して無機ＥＬ素子１５２を消灯させてもよい。
当該スイッチ回路ＳＷ１，ＳＷ２については、第２のコイル１１２の出力電圧に応じて無機ＥＬ素子１５１，１５２を発光させる場合は、第２のコイル１１２と無機ＥＬ素子１５１との間にスイッチ回路ＳＷ１を設け、第２のコイル１１２と無機ＥＬ素子１５２との間にスイッチ回路ＳＷ２を設けてもよい。
また、当該スイッチ回路ＳＷ１，ＳＷ２については、変圧器１８０の出力電圧に応じて無機ＥＬ素子１５１，１５２を発光させる場合は、変圧器１８０と無機ＥＬ素子１５１との間にスイッチ回路ＳＷ１を設け、変圧器１８０と無機ＥＬ素子１５２との間にスイッチ回路ＳＷ２を設けてもよい。
また、当該スイッチ回路ＳＷ１，ＳＷ２については、コンバータ１６１と無機ＥＬ素子１５１との間にスイッチ回路ＳＷ１を設け、コンバータ１６２と無機ＥＬ素子１５２との間にスイッチ回路ＳＷ２を設けてもよいが、消費電力を減らすためコンバータ１６１と定電圧回路１３０との間にスイッチ回路ＳＷ１を設け、コンバータ１６２と定電圧回路１３０との間にスイッチ回路ＳＷ２を設けるのが好ましい。
【００３６】
前記無機ＥＬ素子１５１，１５２の発光色は、同じ色として無機ＥＬ素子の配置により区別してもよいが、互いに異なる色にしたほうがカード利用者はどちらの無機ＥＬ素子であるかを判断し易くなり、より好ましい。
【００３７】
（ｇ）多色の無機ＥＬ素子を色の変更させて制御する。
上記（ｆ）では、複数の無機ＥＬ素子を用いたが、複数の色を発色可能な多色の無機ＥＬ素子を用いて発光色を変更してもよい。
多色の無機ＥＬ素子については、上述した図１（Ｂ）の多色の無機ＥＬ素子を参考にすることができ、無機ＥＬ素子への電源供給を変化させることで異なる色で無機ＥＬ素子を発光させることが可能である。
【００３８】
上記（ａ）〜（ｇ）で述べた無機ＥＬ素子は、面発光するパネルとしてＩＣカードに設けることができる。無機ＥＬ素子は広い発光面を得ることができ、カード利用者にとって、ＩＣカードの動作状況を即座に知る上で便利である。
ＩＣカードでは、セグメント表示またはドット表示を可能とするＥＬ素子を搭載することによって、ＩＣカード内のメモリの記憶データのような、より詳細な情報を表示することも可能である。
【００３９】
（ｈ）セグメント表示により数字等を表示する。
図７（Ａ）は、セグメント表示する表示素子とその駆動回路の概略ブロック図である。この表示素子のセグメントは無機ＥＬ素子１５０ａ〜１５０ｇからなり、無機ＥＬ素子１５０ａ〜１５０ｇは駆動回路１６５により駆動され、可視光を発光する。前記表示素子と駆動回路とを本発明に係る上記ＩＣカードに設けてもよい。
ＩＣカード内の不図示のマイクロコンピュータ（マイコン）からの制御信号を駆動回路１６５は入力し、マイコンによりセグメント表示が制御可能になっている。このマイコンは、前記ＩＣ１４０内に設けてもよい。
一例として駆動回路１６５は、コンバータと、発光させる無機ＥＬ素子を前記制御信号から特定するデコーダと、前記コンバータと前記各無機ＥＬ素子１５０ａ〜１５０ｇとの間に設けたスイッチ回路ＳＷａ〜ＳＷｇとを有し、スイッチ回路ＳＷａ〜ＳＷｇのうち前記デコーダで特定された無機ＥＬ素子に接続されているスイッチ回路をオンに制御する構成とする。
このようにして、無機ＥＬ素子からなるセグメント型表示素子を用いてプリペイド用途での金額、度数などを表示することが可能であり、また、前記リーダライタとの通信情報やＩＣカード内のメモリに記憶されている記憶情報を表示することが可能である。
【００４０】
（ｉ）ドット表示により文字を表示する。
図７（Ｂ）は、ドット表示する表示素子とその駆動回路の概略ブロック図である。この表示素子のドットはマトリクス状に配置された無機ＥＬ素子１５０11〜１５０MNからなる。図７（Ｂ）では、Ｍ＝７，Ｎ＝１６の場合が例示されている。
無機ＥＬ素子１５０11〜１５０MNは駆動回路１６６により駆動され、可視光を発光する。ＩＣカード内の不図示のマイクロコンピュータ（マイコン）からの制御信号を駆動回路１６６は入力し、マイコンによりドット表示が制御可能になっている。このマイコンは、前記ＩＣ１４０内に設けてもよい。前記表示素子と駆動回路１６６とを本発明に係る上記ＩＣカードに設けてもよい。
駆動回路１６６からの透明電極は列方向の無機ＥＬ素子に対応してＮ本配列されており、駆動回路１６６からの背面電極は行方向の無機ＥＬ素子に対応してＭ本配列されている。
一例として駆動回路１６６は、コンバータ１６０と、発光させる行方向の無機ＥＬ素子を前記制御信号から特定する第１のデコーダと、発光させる列方向の無機ＥＬ素子を前記制御信号から特定する第２のデコーダと、前記コンバータと行方向の無機ＥＬ素子との間に設けた第１のスイッチ回路ＳＷ１ａ〜ＳＷ１ｇと、前記コンバータと列方向の無機ＥＬ素子との間に設けた第２のスイッチ回路ＳＷ２ａ〜ＳＷ２ｇとを有し、スイッチ回路ＳＷ１ａ〜ＳＷ１ｇのうち前記第１のデコータで特定された行方向の無機ＥＬ素子に接続されているスイッチ回路をオンに制御し、スイッチ回路ＳＷ２ａ〜ＳＷ２ｇのうち前記第２のデコータで特定された列方向の無機ＥＬ素子に接続されているスイッチ回路をオンに制御する構成とする。
このようにして、無機ＥＬ素子からなるドット型表示素子を用いてプリペイド用途での金額、度数などを表示することが可能であり、また、前記リーダライタとの通信情報やＩＣカード内のメモリに記憶されている記憶情報を表示することが可能であり、文字（テキスト）や画像を表示することが可能である。
これにより、「ＯＫ」、「ＮＧ」、「ＰＡＳＳ」、「ＦＡＩＬ」など様々な情報をドット表示することができる。
ドット型表示素子と同様にしてマトリクス型の表示素子を無機ＥＬ素子により構成してＩＣカードに備えてもよい。
【００４１】
上記（ｈ）〜（ｉ）のように情報を表示する場合、セグメント又はドットの個々を制御することが必要となり、回路規模の増大ひいてはコストの上昇を招く可能性がある。この制御を簡単にするため、「ＯＫ」、「ＮＧ」などの表示文字を予め決定しておき、それらの文字を表示する構成としてもよい。
なお、ある領域全面を発光する無機ＥＬ素子であって、バックライトに相当する無機ＥＬ素子の上に、ネガ状の文字（色抜き）を予め印刷することにより、無機ＥＬ素子の発光時に前記文字を浮き上がらせ、前記文字により固定情報を表示することも可能である。
【００４２】
上記の実施形態では、非接触式ＩＣカードを前提としたが、接触式ＩＣカードにＥＬ素子を搭載してもよい。
接触式ＩＣカードの外部装置の多くはＩＣカード全部をスロットに挿入する。しかし、一部の小型（簡易）リーダライタではＩＣカードの一部分をスロットに挿入して他の部分を外部に露出するタイプのものがある。また、透明の筐体で覆われた外部装置であって、挿入されたＩＣカードが外部から見えるタイプの外部装置もあり得る。
このような場合、接触式ＩＣカードに無機ＥＬ素子を搭載することにより、前記非接触式ＩＣカードと同様にして、ＩＣカードの外観からＩＣカードの動作状況を知ることができる。
【００４３】
図９（Ａ）は、本発明に係る接触式ＩＣカードの一例を示す概略ブロック図である。
この接触式ＩＣカード９５０は、不図示のリーダライタから回路電圧Ｖccが供給される接続端子Ｔ１と、前記回路電圧Ｖccを駆動電圧とする半導体集積回路（ＩＣ）１４０と、前記接続端子Ｔ１に供給されている前記回路電圧Ｖccから交流電圧またはスイッチング電圧を生成するコンバータ１６０と、前記コンバータ１６０の出力電圧に応じて可視光を発光する無機ＥＬ素子１５０と、接続端子Ｔ２，Ｔ３，Ｔ５〜Ｔ７とを有する。
無機ＥＬ素子１５０は、前記リーダライタから前記回路電圧Ｖccが供給されている場合に発光する。
接続端子Ｔ５は、ＩＣ１４０とコンバータ１６０とに接続されている。
接続端子Ｔ２，Ｔ３，Ｔ７は、ＩＣ１４０に接続されている。
接続端子Ｔ１には、回路電圧Ｖccが供給される。
接続端子Ｔ２には、リセット信号ＲＳＴが供給される。
接続端子Ｔ３には、クロック信号ＣＬＫが供給される。
接続端子Ｔ５には、グランド電圧（接地電圧）ＧＮＤが供給される。
接続端子Ｔ６には、プログラム供給電圧Ｖppが供給される。
接続端子Ｔ７には、データが入出力され、入力データまたは出力データが供給される。
接触式ＩＣカード９５０は最も簡単な回路構成であり、前記回路電圧ＶccはＩＳＯ規格では＋５Ｖである。
【００４４】
また、図９（Ｂ）に示すように、コンバータ１６０の出力電圧を駆動電圧とし、さらに無機ＥＬ素子１５０の発光をＩＣから制御する構成としてもよい。
この接触式ＩＣカード９７０は、不図示のリーダライタから回路電圧Ｖccが供給される接続端子Ｔ１と、前記回路電圧Ｖccを駆動電圧とする半導体集積回路（ＩＣ）１４５と、前記接続端子Ｔ１に供給されている前記回路電圧Ｖccから交流電圧またはスイッチング電圧を生成するコンバータ１６０と、コンバータ１６０の出力電圧に応じて可視光を発光する無機ＥＬ素子１５０と、前記コンバータ１６０と前記接続端子Ｔ１との間に設けられたスイッチ回路ＳＷとを有し、前記スイッチ回路ＳＷの制御信号を前記ＩＣ１４５が生成してスイッチ回路ＳＷのオンオフ動作を前記ＩＣ１４５から制御可能とした構成である。前記ＩＣ１４５内にマイコンを備えてもよい。
無機ＥＬ素子１５０は、前記リーダライタから前記回路電圧Ｖccが供給されている場合に発光する。
接続端子Ｔ５は、ＩＣ１４５と無機ＥＬ素子１５０とに接続されている。
接続端子Ｔ２，Ｔ３，Ｔ７は、ＩＣ１４５に接続されている。
前記コンバータ１６０と前記無機ＥＬ素子１５０との間にスイッチ回路ＳＷを設けてもよい。
【００４５】
ＩＣカード５００〜７００に対応して、無機ＥＬ素子を有する接触式ＩＣカードにおいても同様の構成とすることができる。
ＩＣカード５００〜７００において、コイル１１０と整流回路１２０とキャパシタＣ１と定電圧回路１３０とを取り除き、前記定電圧回路１３０の出力端子に代えて接続端子Ｔ１を採用し、コンバータ１６０は接続端子Ｔ１の端子電圧を入力する構成としてもよい。さらには、図７（Ａ）のセグメント型表示素子とその駆動回路１６５を備えてもよく、図７（Ｂ）のドット型表示素子とその駆動回路１６６を備えてもよい。
【００４６】
最近では、コンビカード、デュアルインタフェースＩＣカードまたは２Ｗａｙアクセスカードなどと呼ばれ、１個のＩＣカードに非接触式ＩＣカードと接触式ＩＣカードの双方のインタフェースを有するＩＣカードがある。このようなＩＣカードにＥＬ素子を搭載してもよい。
図１０は、本発明に係るＩＣカードの一例を示す概略ブロック図である。
このＩＣカード９８０は、不図示のリーダライタから回路電圧が供給される接続端子Ｔ１と、前記回路電圧を駆動電圧として入力する半導体集積回路（ＩＣ）１４６と、コンバータ１６０と、コンバータ１６０の出力電圧に応じて可視光を発光する無機ＥＬ素子１５０と、コンバータ１６０と前記接続端子Ｔ１との間に設けられたスイッチ回路ＳＷと、不図示のリーダライタからの磁気信号を電気信号に変換するコイル１１０と、前記コイル１１０の出力電圧を交流から直流に変換する整流回路１２０と、前記整流回路１２０の出力電圧から前記ＩＣの駆動電圧を生成する定電圧回路１３０と、前記定電圧回路１３０と前記コンバータ１６０との間に設けられたスイッチ回路ＳＷ４と、前記コンバータ１６０と前記接続端子Ｔ１との間に設けられたスイッチ回路ＳＷ３とを有し、前記スイッチ回路ＳＷ３，ＳＷ４の制御信号を前記ＩＣ１４６が生成してスイッチ回路ＳＷのオンオフ動作を前記ＩＣ１４５から制御可能とした構成である。前記ＩＣ１４６内にマイコンを備えてもよい。定電圧回路１３０の出力端子に平滑用のキャパシタを接続してもよい。
コンバータ１６０は、前記接続端子Ｔ１に供給されている回路電圧または定電圧回路１３０の出力電圧から交流電圧またはスイッチング電圧を生成し、無機ＥＬ素子１５０の駆動電圧を生成する。
無機ＥＬ素子１５０は、前記リーダライタから前記回路電圧Ｖccが供給されている場合または前記リーダライタから磁気信号により電源供給されている場合に発光する。
接続端子Ｔ５は、ＩＣ１４６とコンバータ１６０とに接続されている。
接続端子Ｔ２，Ｔ３，Ｔ７は、ＩＣ１４６に接続されている。
【００４７】
前記コイル１１０の出力電圧から整流回路１２０および定電圧回路１３０により生成した電源電圧、または、接続端子Ｔ１から供給される電源電圧を前記ＩＣ１４６は駆動電圧として入力する。
ＩＣ１４６では、コイル１１０を介して電力が供給されている場合と接続端子Ｔ１を介して電力が供給されている場合とを判別する判別回路を有しており、判別結果に応じてスイッチ回路ＳＷ３，ＳＷ４の一方をオンに制御し、コンバータ１６０を動作させて無機ＥＬ素子１５０を発光させる。
前記リーダライタからコイル１１０を介して電力が供給されていると共に、接続端子Ｔ１を介して電力が供給されている場合は、スイッチ回路ＳＷ３，ＳＷ４の一方をオンに制御し、この場合はスイッチ回路ＳＷ３をオンにしてもよい。
異なる色を発光可能な無機ＥＬ素子をＩＣカード９８０に搭載してもよく、発光色が異なる複数の無機ＥＬ素子をＩＣカード９８０に搭載してもよい。
前記リーダライタからコイル１１０を介して電力が供給されている場合と、接続端子Ｔ１を介して電力が供給されている場合とでは、異なる色で発光させることで、カード利用者は受電状況を無機ＥＬ素子の発光色から認識することができる。
【００４８】
図１１は、コンバータの一例を示す回路図である。
このコンバータは、直流電源Ｖ９と、前記直流電源Ｖ９に並列接続されたキャパシタＣ９と、トランジスタＱ１〜Ｑ４と、ダイオードＤ１〜Ｄ４とを有する。トランジスタＱ１〜Ｑ４のコレクタ・エミッタ間には、逆方向ダイオードＤ１〜Ｄ４がそれぞれ接続され、スパイク電圧に対する保護回路を形成している。
トランジスタＱ１〜Ｑ４はブリッジ回路を構成しており、対向するトランジスタＱ１，Ｑ３と、対抗するトランジスタＱ２，Ｑ４とを交互にオン／オフすることで、無機ＥＬ素子などの負荷１５５に交流電圧を印加することができる。
前記トランジスタＱ１，Ｑ３と、前記トランジスタＱ２，Ｑ４とを単純に交互にオン／オフした場合は、負荷１５５に印加される交流電圧は矩形波となるが、トランジスタＱ１〜Ｑ４のオン／オフを細かく制御することで、正弦波に近い電圧を印加することが可能である。トランジスタＱ１〜Ｑ４のベースには制御信号ＳＱ１〜ＳＱ４が供給され、例えばマイコンから制御信号ＳＱ１〜ＳＱ４を供給してトランジスタトランジスタＱ１〜Ｑ４の動作を制御することができる。
整流回路１２０または定電圧回路１３０の直流出力電圧を不図示の昇圧回路により高電圧を発生させ、当該昇圧回路を図１１中の直流電源Ｖ９とする。
当該昇圧回路により、整流回路１２０または定電圧回路１３０の出力電圧が小さい場合にも無機ＥＬ素子を駆動可能とすることができる。
このように、コンバータ１６０としては、直流／交流変換回路（ＤＣ−ＡＣコンバータまたはインバータ）を用いてもよく、スイッチング電圧を生成する電圧変換回路（ＤＣ−ＤＣコンバータ）を用いてもよい。
【００４９】
無機ＥＬ素子は面発光して広範囲に発光させることができるので、発光部分がＩＣカードを持つ指先で隠れないようにすることが可能である。ＩＣカードに搭載する無機ＥＬ素子の大きさは、例えばＩＣカードを片手の指先で摘んで保持する際に１本の指、例えば親指または人指し指の指先がＩＣカードの片面に触れる面積よりも大きい面積を発光面積としてもよい。
なお、上記実施形態は本発明の一例であり、本発明は上記実施形態に限定されない。
【図面の簡単な説明】
【００５０】
【図１】無機エレクトロルミネッセンス素子（無機ＥＬ素子）を例示して説明する説明図である。
【図２】有機エレクトロルミネッセンス素子（有機ＥＬ素子）を例示して説明する説明図である。
【図３】多色の有機ＥＬ素子を例示して説明する説明図である。
【図４】本発明に係るＩＣカードを例示する概略ブロック図である。
【図５】本発明に係るＩＣカードを例示する概略ブロック図である。
【図６】本発明に係るＩＣカードを例示する概略ブロック図である。
【図７】表示素子とその駆動回路とを例示する概略ブロック図である。
【図８】無機ＥＬ素子を点灯させる場合と点滅させる場合の無機ＥＬ素子の駆動電圧波形と、点滅周期のクロック信号を生成する回路とを説明する説明図である。
【図９】本発明に係るＩＣカードを例示する概略ブロック図である。
【図１０】本発明に係るＩＣカードを例示する概略ブロック図である。
【図１１】コンバータの一例を示す回路図である。
【符号の説明】
【００５１】
１，１１，５１，６１，７１，８１…プラスチック基板、２，１２，２２，３２，５２，６２，７２Ｒ，７２Ｇ，７２Ｂ，８２Ｒ，８２Ｇ，８２Ｂ…透明電極、１５，２５，３５…透明電極、３，１３，２１，２３，３１，３３…絶縁層、４，１４，２４，３４…誘電層、５，５６，６６Ｒ，６６Ｇ，６６Ｂ，７６Ｒ，７６Ｇ，７６Ｂ，８６Ｒ，８６Ｇ，８６Ｂ…背面電極、９…交流電源、５３，６３Ｒ，６３Ｇ，６３Ｂ，７３，８３…正孔輸送層（正孔注入輸送層）、５４，６４Ｒ，６４Ｇ，６４Ｂ，７４，８４…発光層、５５，６５Ｒ，６５Ｇ，６５Ｂ，７５，８５…電子輸送層（電子注入輸送層）、５９…直流電源、１１０，１１５…コイル、１１１…コイル（第１のコイル）、１１２…コイル（第２のコイル）、１２０…整流回路、１３０…定電圧回路、１４０，１４５，１４６…半導体集積回路（ＩＣ）、１４１…電圧検出回路、１４２…照合回路、１４３…衝突防止回路、１４４…ＲＳ−ＦＦ回路、１５０，１５０ａ〜１５０ｇ，１５０11〜１５０MN，１５１，１５２…無機エレクトロルミネッセンス素子（無機ＥＬ素子）、１５５…負荷、１６０…コンバータ、１６５，１６６…駆動回路、１７０…クロック信号生成回路、１７１…抽出回路、１７２…分周回路、１８０…変圧器、２００，３００，４００，５００，６００，７００，９５０，９７０，９８０…ＩＣカード、Ｃ１，Ｃ２，Ｃ３，Ｃ９…キャパシタ、Ｄ１〜Ｄ４…ダイオード、ＧＮＤ…グランド電圧（接地電圧）、Ｑ１〜Ｑ４…トランジスタ、ＳＷ…スイッチ回路、ＳＷ１…スイッチ回路（第１のスイッチ回路）、ＳＷ２…スイッチ回路（第２のスイッチ回路）、Ｔ１〜Ｔ３，Ｔ５〜Ｔ７…接続端子、Ｖ９…直流電源。
【図１】
2008282421.tif 000003
【図２】
2008282421.tif 000004
【図３】
2008282421.tif 000005
【図４】
2008282421.tif 000006
【図５】
2008282421.tif 000007
【図６】
2008282421.tif 000008
【図７】
2008282421.tif 000009
【図８】
2008282421.tif 000010
【図９】
2008282421.tif 000011
【図１０】
2008282421.tif 000012
【図１１】
2008282421.tif 000013
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
リーダライタから回路電圧が供給される接続端子と、
前記回路電圧を駆動電圧とする半導体集積回路と、
前記接続端子に供給されている前記回路電圧から交流電圧またはスイッチング電圧を生成するコンバータと、
前記コンバータの出力電圧により励起されて可視光を発光する単一または複数の無機エレクトロルミネッセンス素子と、
前記回路電圧が、前記半導体集積回路が動作可能な所定の電圧に達していることを検出して検出信号を生成する電圧検出回路と、
前記コンバータと前記無機エレクトロルミネッセンス素子との間または前記コンバータと前記接続端子との間に設けられ、前記検出信号により制御されるスイッチ回路と
を有する
ＩＣカード。
【請求項２】
前記ＩＣカードは、前記リーダライタとの通信情報または前記ＩＣカード内のメモリに記憶されている記憶情報をセグメント表示する表示素子を有し、
各セグメントを前記無機エレクトロルミネッセンス素子により構成した
請求項１記載のＩＣカード。
【請求項３】
前記ＩＣカードは、前記リーダライタとの通信情報または前記ＩＣカード内のメモリに記憶されている記憶情報をドット表示する表示素子を有し、
各ドットを前記無機エレクトロルミネッセンス素子により構成した
請求項１記載のＩＣカード。
【請求項４】
前記ＩＣカードは、前記リーダライタとの通信情報または前記ＩＣカード内のメモリに記憶されている記憶情報をマトリクス表示する表示素子を有し、
前記表示素子を前記無機エレクトロルミネッセンス素子により構成した
請求項１記載のＩＣカード。
【請求項５】
前記無機エレクトロルミネッセンス素子は、
プラスチック基板と、
前記プラスチック基板上に形成された透明電極と、
背面電極と、
前記背面電極と前記透明電極との間に形成された絶縁層および誘電層と
を有しており、
前記可視光を発光する前記誘電層は、前記絶縁層を介して前記背面電極と前記透明電極とに挟まれている
請求項１〜４記載のＩＣカード。
【手続補正２】
【補正対象書類名】明細書
【補正対象項目名】０００５
【補正方法】変更
【補正の内容】
【０００５】
本発明のＩＣカードは、リーダライタから回路電圧が供給される接続端子と、前記回路電圧を駆動電圧とする半導体集積回路と、前記接続端子に供給されている前記回路電圧から交流電圧またはスイッチング電圧を生成するコンバータと、前記コンバータの出力電圧により励起されて可視光を発光する単一または複数の無機エレクトロルミネッセンス素子と、前記回路電圧が、前記半導体集積回路が動作可能な所定の電圧に達していることを検出して検出信号を生成する電圧検出回路と、前記コンバータと前記無機エレクトロルミネッセンス素子との間または前記コンバータと前記接続端子との間に設けられ、前記検出信号により制御されるスイッチ回路とを有する。